(57)【特許請求の範囲】
【請求項１】
自立可能なフレーム部材の前側上部に前輪前部抱持体を固定し、該フレーム部材の後側下部に前輪後下方部抱持体を回動自在に軸支すると共に、前輪前部抱持体及び／又は前輪後下方部抱持体は、平面部と該平面部の両側から拡開方向に延設された抱持片部と、で平面形状が略Ｖ字状に形成されてなる前輪支持装置を有する駐輪装置であって、前輪前部抱持体とフレーム部材との固定点を、前記平面部のく字状に形成された折曲点よりやや下方に設定し、かつ、地面或は駐輪場の床面に、二輪車が積載可能な大きさを有するベース部材を、アンカー軸部を介して回動自在に軸支すると共に、ベース部材には、２個を一組とする係止孔が、前記アンカー軸部の中心から等距離の円弧軌跡上に３組、所定間隔毎に貫通形成され、これら各係止孔には、略Ｕ字状に形成されてなるロック体が挿脱自在に装着可能であることを特徴とする駐輪装置。
【請求項２】
前記各係止孔は、そのいずれかの組の孔に挿入されたロック体の下端部が駐輪場の床面や地面に凹設された一組の係止穴に嵌合係止されることで、ベース部材の左右の移動が規制されるように構成されていることを特徴とする請求項１に記載の駐輪装置。
【請求項３】
前記ベース部材の前側両側部には、略逆Ｕ字状の手摺バーが立設され、該ベース部材の後端部と手摺バーとの間には、二輪車に取り付けられたサイドバック用の空きスペースが形成されていることを特徴とする請求項１に記載の駐輪装置。
【請求項４】
前記ベース部材の下面両側には、複数個のキャスターローラが回転自在に軸支され、これらキャスターローラは、ベース部材の前側に配設されたものから後側に配設されたものの順に、その直径が小さくなるように構成されていることを特徴とする請求項１に記載の駐輪装置。
【発明の詳細な説明】
【技術分野】
【０００１】
この発明は、オートバイ等の駐輪装置に係り、特に出入庫を容易に行うことができ、狭い敷地であっても場所を取ることなく駐輪可能であると共に、付設された無電源のスイッチで容易に出入庫を確認することができる盗難防止にも有効な前輪支持装置及び該前輪支持装置を備えた駐輪装置に関する。
【背景技術】
【０００２】
近年、通勤、通学又は買い物用の足として、自動二輪車や原動機付自転車の利用が激増しているが、これらの集まる駅、商店街の周辺等では、自動二輪車等を駐車させるための駐車設備が非常に少ないため、違法駐車が車両の走行や人の歩行の妨げとなり、社会問題化している。これは、人が集まり易い場所の地代等が非常に高価であり、バイクスタンド等の駐輪場では採算性がとれない、という問題があるためでもある。このため、できるだけ多くの自動二輪車等を狭いスペースに効率よく駐車できるように、当該設備を上下多段の立体駐車設備とする、という例が多くなってきている。
【０００３】
また、一方で、駐輪中に自動二輪車が盗まれるといった事故も多発しており、特に、高価な自動二輪車の盗難が顕著である。
【０００４】
一般的に、自動二輪車を駐輪する場合には、自前のチェーン錠等で車輪をロックしたり、駐輪場のロック装置を利用してロックするが、このような従来のロック装置では、強力なチェーンカッター等の道具で簡単に破壊され易いため、自動二輪車の所有者にとっては、なす術がないのが現状である。
【０００５】
また、従来の駐車場において、自動二輪車等を転倒させることなく整列させる自動二輪車専用の装置はあまり開発されておらず、例えば、特許文献１等に示されているように、自動二輪車のタイヤ幅よりもやや広い間隔を持つ一対の支柱兼用規制部材が所定間隔毎に立設され、また各規制部材上に連続する横桁が架け渡された構造の前輪支持装置が知られており、このような前輪支持装置では、該一対の規制部材間に前輪を挿入して付属のスタンドにより自動二輪車を起立させることによって、指定位置若しくは指定の範囲内に駐輪させて整列させているのが現状である。
【０００６】
【特許文献１】実開昭６４−７０８６号公報
【発明の開示】
【発明が解決しようとする課題】
【０００７】
しかしながら、上記従来の前輪支持装置では、前輪を一対の規制部材間で挟んで自立させているだけの構造であるため、自動二輪車が前方にずれたり、少しの外力が加わるだけで、サイドスタンドが外れて転倒し易いという問題を有していると共に、サイドスタンドは一点で車重を支えるため、比較的不安定である。また、通常、自動二輪車のメインスタンドは、エンジンの下部後方に一端を回動可能に取り付けられ、二本足で立てるようにした棒状の部品であり、メインスタンド使用時、メインスタンドを立て二箇所の接地点と、いずれか一方のタイヤで車体を支え、走行時メインスタンドは車体と平行になるまで後方に回転させられる構造のため、自動二輪車に前方向の力がかかるとメインスタンドは外れて転倒し易い、という問題を有しており、いずれにしても、自動二輪車を安定して自立保持する簡単な構造からなる駐輪装置は開発されていないのが現状である。
【０００８】
このため多くの自動二輪車を整列させる駐車設備において、前輪支持装置等のような自動二輪車を支持する装置を設けない場合、共倒れ等の不都合が発生し、一定のスペースに効率よく整列させて駐車することができない、という問題を有していた。
【０００９】
この発明は、かかる現状に鑑み創案されたものであって、その目的とするところは、自動二輪車等の前輪を安定的に抱持し、４輪自動車などの駐車場の狭い空きスペースであっても設置することができる簡易で低コストな構造であり、立体駐輪設備においても自動二輪車等の転倒を有効に防止して整然と自立させることが可能であると共に、無電源で自動二輪車の本装置への出入庫を自動的に監視することが可能な前輪支持装置を備えた駐輪装置を提供しようとするものである。
【課題を解決するための手段】
【００１０】
請求項１に記載の駐輪装置は、自立可能なフレーム部材の前側上部に前輪前部抱持体を固定し、該フレーム部材の後側下部に前輪後下方部抱持体を回動自在に軸支すると共に、前輪前部抱持体及び／又は前輪後下方部抱持体は、平面部と該平面部の両側から拡開方向に延設された抱持片部と、で平面形状が略Ｖ字状に形成されてなる前輪支持装置を有する駐輪装置であって、前輪前部抱持体とフレーム部材との固定点を、前記平面部のく字状に形成された折曲点よりやや下方に設定し、かつ、地面或は駐輪場の床面に、二輪車が積載可能な大きさを有するベース部材を、アンカー軸部を介して回動自在に軸支すると共に、ベース部材には、２個を一組とする係止孔が、前記アンカー軸部の中心から等距離の円弧軌跡上に３組、所定間隔毎に貫通形成され、これら各係止孔には、略Ｕ字状に形成されてなるロック体が挿脱自在に装着可能であることを特徴とする。
【００１１】
また、請求項２に記載の発明は、請求項１に記載の駐輪装置を技術的前提とし、前記各係止孔は、そのいずれかの組の孔に挿入されたロック体の下端部が駐輪場の床面や地面に凹設された一組の係止穴に嵌合係止されることで、ベース部材の左右の移動が規制されるように構成されていることを特徴とする。
【００１２】
さらに、請求項３に記載の発明は、請求項１に記載の駐輪装置を技術的前提とし、前記ベース部材の前側両側部には、略逆Ｕ字状の手摺バーが立設され、該ベース部材の後端部と手摺バーとの間には、二輪車に取り付けられたサイドバック用の空きスペースが形成されていることを特徴とする。
【００１３】
またさらに、請求項４に記載の発明は、請求項１に記載の駐輪装置を技術的前提とし、前記ベース部材の下面両側には、複数個のキャスターローラが回転自在に軸支され、これらキャスターローラは、ベース部材の前側に配設されたものから後側に配設されたものの順に、その直径が小さくなるように構成されていることを特徴とする。
【発明の効果】
【００１４】
請求項１に記載の発明は、前輪支持装置を、自立可能なフレーム部材の前側上部に前輪前部抱持体を固定し、該フレーム部材の後側下部に前輪後下方部抱持体を回動自在に軸支して構成したので、自動二輪車等の前輪を、安定して自立させ抱持することができ、４輪自動車などの駐車場の狭い空きスペースであっても、その床面や地面に容易かつ堅牢に固定し設置することができ、しかも、前輪前部抱持体及び／又は前輪後下方部抱持体を、断面形状が略く字状に形成したので、前輪の外周面に沿って前輪を安定的に抱持することができ、より確実に自動二輪車等を自立させることができると共に、前輪前部抱持体及び／又は前輪後下方部抱持体を、平面部と該平面部の両側から拡開方向に延設された抱持片部と、で平面形状が略Ｖ字状となるように形成したので、自転車から原付自動二輪車、中型自動二輪車、大型自動二輪車の異なる車輪幅であっても、本装置１台で全ての二輪車の前輪を安定的に自立させ抱持することができ、二輪車が積載可能な大きさを有するベース部材を、アンカー軸部を介して回動自在に軸支すると共に、ベース部材には、２個を一組とする係止孔が、前記アンカー軸部の中心から等距離の円弧軌跡上に３組、所定間隔毎に貫通形成され、これら各係止孔には、略Ｕ字状に形成されてなるロック体が挿脱自在に装着可能とし、各係止孔は、請求項２に記載の発明では、そのいずれかの組の孔に挿入されたロック体の下端部が駐輪場の床面や地面に凹設された一組の係止穴に嵌合係止されることで、ベース部材の左右の移動が規制されるように構成されているので、本駐輪装置を二輪車の入庫方向或は出庫方向に移動させ、上記ロック体でベース部材の左右の移動を規制することで、二輪車の出入庫を安定した状態で行なうことができる。
【００１５】
さらに、請求項３に記載の発明は、前記ベース部材の後端部と手摺バーとの間に、二輪車に取り付けられたサイドバック用の空きスペースを形成したので、サイドバックが取り付けられた自動二輪車であっても、確実に駐輪することができる。
【００１６】
請求項４に記載の発明は、キャスターローラを、ベース部材の前側に配設されたものから後側に配設されたものの順に、その直径が小さくなるように構成したので、本駐輪装置を設置したときに、ベース部材は、前側から後端部に向かって下がり勾配で設置されるため、自動二輪車の出庫作業を大幅に軽減することができる。
【発明を実施するための最良の形態】
【００１７】
以下、本発明の実施の形態を図１ないし図１０に基づいて説明する。
【００１８】
図１及び図２は、本形態例に係る駐輪装置１の平面図及び右側面図を示しており、該駐輪装置１は、平板体であるベース部材２と、該ベース部材２の舳先部分に、上下に貫通して配設されたアンカー軸部３と、上記ベース部材２の上面側であって上記アンカー軸部３に固定された前輪支持装置１０と、該前輪支持装置１０の車輪ガイドレール１１の両側に配置された弾性材で形成されてなるプラットホーム部材４，４と、上記ベース部材２の前側両側部に立設された略逆Ｕ字状の手摺バー５，５と、上記ベース部材２の下面両側に回転自在に軸支されてなるキャスターローラ６Ａ，６Ａ，６Ｂ，６Ｂ，６Ｃ，６Ｃと、から構成されている。
【００１９】
ベース部材２は、大型自動二輪車Ｂが入庫しても撓み変形しない剛性を有する鋼板等の剛体で平面形状が略舟形状に形成されており、該ベース部材２の上面には上記プラットホーム部材４，４が貼着されていると共に、該ベース部材２の前側には、２個を一組とする係止孔２Ａ１，２Ａ１，２Ａ２，２Ａ２，２Ａ３，２Ａ３が、アンカー軸部３の中心から等距離の円弧軌跡上に３組、所定間隔毎に貫通形成され、これら各係止孔２Ａ１，２Ａ１又は２Ａ２，２Ａ２或は２Ａ３，２Ａ３には、略Ｕ字状に形成されてなるロック体９が挿脱自在に装着できるように構成されている。
【００２０】
これら各係止孔２Ａ１，２Ａ１又は２Ａ２，２Ａ２或は２Ａ３，２Ａ３は、図２に示すように、そのいずれかの組の孔に挿入されたロック体９の下端部が駐輪場の床面や地面Ｇ等に凹設された一組の係止穴Ｇａに嵌合係止されることで、ベース部材２の左右の移動が規制されるように構成されている。
【００２１】
また、ベース部材２は、上記したように、平面形状が略舟形状に形成されているので、本ベース部材２を、平面形状が直角な場所に設置したとしても、ベース部材２の斜辺２Ａ，２Ａ（本形態例では傾斜角４５度で形成されているが、この角度に限定されるものではなく、設置場所に対応させて任意の角度に形成することができる。）が駐輪場所の直角な一辺と接触するまでの範囲は、本ベース部材２を回動させることができるため、狭い場所で駐輪しにくい場所あっても、二輪車の出入庫を容易に行なうことができる。
【００２２】
因みに、この形態例では、該ベース部材２の長さ寸法は１９００ｍｍで、幅寸法は８００ｍｍに形成されている。これは、大型の自動二輪車の車軸長よりも若干長い寸法であり、大型自動二輪車から小型自動二輪車まで駐輪できるように構成されている。
【００２３】
アンカー軸部３は、ベース部材２を左右に回動自在に軸支するためのもので、該アンカー軸部３の下端部は、図２に示すように、駐輪場の床面や地面Ｇ等に固定された軸受体７に回転可能に軸支されている。勿論、該アンカー軸部３と軸受体７とは、例えば、図２に示すような構造とし、容易に抜脱しないように構成されている。
【００２４】
プラットホーム部材４，４は、ゴムやラバー等の弾性体帯状に形成されており、その上面には所要間隔毎に滑り止め用の突起８が突設されている。因みに、本形態例では、上記プラットホーム部材４，４の長さ寸法は１０００ｍｍで、幅寸法は２００ｍｍ、厚さは３０ｍｍで形成している。厚さを３００ｍｍとすることで、乗車時や降車時に楽に足をつけることができ、安定した乗降を行うことができる。また、滑り止め用の突起８が所要間隔毎に複数配設されていることにより、雨天時であっても安全に乗降することができるばかりではなく、本駐輪装置１から出庫するときに、足掛かりとして利用することができるので、スムーズな出庫を行うことができる。
【００２５】
手摺バー５，５は、自動二輪車の収納幅を確保する機能と、手摺りとしての機能のほかに、入庫されている自動二輪車Ｂが万一転倒した場合でも、全倒を防止する作用も有しており、さらには、４輪自動車の進入を防止するブロック体としての作用を奏するように、剛体で形成されている。因みに、本形態例では、本手摺バー５，５の幅寸法は８００ｍｍで、高さ寸法は取付時に８００ｍｍとなるように、その両下端部がベース部材２に固定されている。尚、この形態例において、上記手摺バー５，５の幅寸法を８００ｍｍとし、ベース部材２の後端部まで延長せずにベース部材２の後端部に空きスペースＳを形成したので、自動二輪車にサイドバックが取り付けられている場合でも入庫することができる。尚、本形態例では、上記手摺バー５，５に蛍光塗料を塗布することで、夜間における入出庫の目印となるので安全であり、また、蛍光発光により駐輪装置１を目立たせることができ、盗難防止の効果も得ることができる。
【００２６】
キャスターローラ６Ａ，６Ａ，６Ｂ，６Ｂ，６Ｃ，６Ｃは、３６０度のいずれの方向にも転回可能な公知の構造からなり、キャスターローラ６Ａ，６Ａが一番大きく形成され、次にキャスターローラ６Ｂ，６Ｂが大きく形成され、キャスターローラ６Ｃ，６Ｃが一番小さく形成されている。このように構成することで、本駐輪装置１を設置したときに、ベース部材２は、前側から後端部に向かって下がり勾配で設置されるため、自動二輪車の出庫作業を大幅に軽減することができ、自力で容易に出庫することができる。
【００２７】
次に、前記前輪支持装置１０は、図１乃至図１０に示すように、上記べース部材２の前端側に配置される前端フレーム部１２と、該前端フレーム部１２の両端部から下方に垂直に延設された垂直フレーム部１３，１３と、該垂直フレーム部１３，１３の下端部からベース部材２の斜辺部に沿うように延設された斜辺フレーム部１４，１４と、該斜辺フレーム部１４，１４の終端部から水平方向に延設された平行フレーム部１５，１５と、該平行フレーム部１５，１５の両終端部間を連結する連結フレーム部１６と、が一体となるように連結されて平面形状が略ホームベース状となるように構成されている。
【００２８】
そして、上記前端フレーム部１２の中央部には、断面形状が略く字上に形成された前輪前部抱持体１７が固定されており、また、前記連結フレーム部１６の中央部には前輪後下方部抱持体１８が連結フレーム部１６に対して軸回り方向に回転自在に軸支されている。
【００２９】
この前輪前部抱持体１７は、平面部１７Ａと該平面部１７Ａの両側から拡開方向に延設された抱持片部１７Ｂ，１７Ｂと、で平面形状が略Ｖ字状に形成されており、上記平面部１７Ａのく字状に形成された折曲点よりやや下方が上記前端フレーム部１２の略中央部に溶接等の手段で強固に固定されている。
【００３０】
このように前輪前部抱持体１７を平面形状が略Ｖ字状に形成するとこで、自転車及び小型自動二輪車から大型自動二輪車までのすべての前輪幅に対応させることができ、また、前輪が傷損するのを防止することができる。
さらに、上記前端フレーム部１２との固定点を上記平面部１７Ａのく字状に形成された折曲点よりやや下方に設定することで、本前輪支持装置１０に収納され後記するロック装置１９で施錠されて駐輪された自動二輪車Ｂが強制的に持ち上げられないように構成されている。勿論、より持ち上げられにくくする場合には、前輪前部抱持体１７の上部分をより長く形成してもよい。
【００３１】
一方、前輪後下方部抱持体１８も基本的には前輪前部抱持体１７と同様に構成されており、平面部１８Ａと該平面部１８Ａの両側から拡開方向に延設された抱持片部１８Ｂ，１８Ｂと、で平面形状が略Ｖ字状に形成されており、断面形状が略く字状に形成されたガイド部側１８Ｃと連結部側１８Ｄとの長さ寸法はガイド部側１８Ｃの方が長く形成されている。また、前記前記連結フレーム部１６の中央部に回動自在に軸支されるパイプ状の軸部１８Ｅは、上記連結部側１８Ｄの平面部１８Ａに溶接等の手段で堅牢に固定されている。
【００３２】
このように前輪後下方部抱持体１８を平面形状が略Ｖ字状に形成するとこで、自転車及び小型自動二輪車から大型自動二輪車までのすべての前輪幅に対応させることができ、また、前輪が傷損するのを防止することができる。
【００３３】
尚、この形態例では、断面形状が略く字状に形成された前輪後下方部抱持体１８のガイド部側１８Ｃと連結部側１８Ｄとの長さ寸法を、ガイド部側１８Ｃの方を長く形成したので、本前輪支持装置１０が空車状態のときには、ガイド部側の自重により当該ガイド部側がガイドレール部１１と略面一となるように倒れ、入庫時における前輪の本前輪支持装置１０への導入がスムーズに行なうことができるように構成されている。
【００３４】
また、上記前輪前部抱持体１７と前輪後下方部抱持体１８には、ロックアーム１７Ｃ，１８Ｆが延設されており、これらロックアーム１７Ｃ，１８Ｆは、自動二輪車Ｂの前輪が入庫したときに、その自由端部が重合するように構成されていると共に、重合した部分には、錠前１９（図２参照）が係合可能な孔部が形成されている。尚、この形態例では、上記ロックアーム１８Ｆに、上記錠前１９のロック・アンロック状態に連動する料金清算器Ｊを配設し、錠前１９をロックしたときに料金清算器Ｊが作動し、料金を精算したときに錠前１９のロック状態が解除されるように構成されている。この錠前１９及び料金清算器Ｊは、公知の構成のものを使用することができるので、詳細な構成説明はここでは省略する。
また、上記連結フレーム部１６の中央部には、ベース部材２の後端部より外方に延設された断面形状が略凹状に形成されたガイドレール部１１の一端部が連結されており、上記プラットホーム部４，４間に配置された該ガイドレール部１１の終端部１１Ａは、図２に示すように、床面や地面Ｇ側に折曲されて入出庫時における車輪のガイドレール部１１への乗り入れや出庫動作がスムーズに行なうことができるように構成されている。勿論、上記ガイドレール部１１の幅寸法は、大型自動二輪車Ｂの前後輪がスムーズに乗り入れ収納可能な寸法を有して構成されている。
【００３５】
さらに、上記前輪前部抱持体１７の平面部１７Ａには、前輪が本前輪支持装置１０に入庫したときの押圧力と出庫したときの前輪との押圧力の解除により作動する無電源方式の防犯装置２０が取り付けられている。
【００３６】
ここで、本防犯装置２０の構成例を図１１に示すが、本発明の防犯装置２０は、図示した配置や形状に限定されるものではない。
【００３７】
まず、圧電セラミックス素子２１１，２１２は、ケース４０に収容されており、ケース４０は図示されていない適切な手段（接着剤、両面テープ、ねじ止め、溶接等）で、前記前輪前部抱持体１７の平面部１７Ａの裏面側に取り付けられており、前輪前部抱持体１７に作用する変動を検知して、前記圧電セラミックス素子２１１，２１２で発電する電力により通信を行うように構成されている。
【００３８】
圧電セラミックス素子２１１，２１２には、圧電セラミックス体２１と鋼球２２を収納するハウジング２３と、ハウジング２３を支持するための基部４１と、弾性を有しハウジング２３と基部４１とを連結するとともに、鋼球２２が圧電セラミックス体２１への衝突を繰り返すようハウジング２３を揺動させる板バネ等からなる弾性部材４２と、が備えられている。この弾性部材４２には、上述の板バネの他に、ゴム材（シリコンゴム等やゲル材、熱可逆性エラストマー等)、また発泡材や低ヤング率Ｔｉ合金（弾性変形の大きいＴｉ合金）を用いてもよい。
【００３９】
即ち、本形態例では、図１２に示すように、両端が閉塞されたハウジング２３の両端側に圧電セラミックス体２１を配置し、これら圧電セラミックス体２１を鋼球２２の殴打により発電するものである。
【００４０】
ハウジング２３の一方の側面にクッション材２５を接着材２４用いて接着し、このクッション材２５の中央部のみに、接着材２４を用いて圧電セラミックス体２１を接着する。ハウジング２３の他方の側面にも、同様にして圧電セラミックス体２１を接着し、両者を向かい合せる。
【００４１】
これら両圧電セラミックス体２１の向かい合う面の中央部にプロテクタ板２７を固着する。そして、両圧電セラミックス体２１間に、ガイド通路２８を配置し、このガイド通路２８内に転動自在な鋼球２２を設ける。また、ハウジング２３には、発信部３２を含む回路部３０（図１３参照）が併設されている。このハウジング２３は、前輪の入庫時の振動により揺動し、また、出庫時の振動でも揺動して発電する。
【００４２】
尚、この発明にあっては、圧電セラミックス体２１を、例えば、水平に配置する場合には、その中央部のみだけではなく、その両端部をクッション材２５で保持し、或は、中央部と両端部をクッション材２５で保持し、また、その支持部位も圧電セラミックス体２１の上下面に配置して保持するように構成してもよい。
【００４３】
上記圧電セラミックス体２１は、同一形態（同一材質、同一形状、同一厚さ）の２枚の板状の圧電セラミックス素子２１１，２１２を、各セラミックス素子２１１，２１２の分極の極性を同一方向にし、かつ、該圧電セラミックス素子２１１，２１２間に、りん青銅や真鍮等の導電性金属で１０μｍ〜５０μｍの厚さに形成された極薄の金属電極（図示せず）を配置し、これら圧電セラミックス素子２１１，２１２と金属電極を接合して構成されている。
【００４４】
このように金属電極を極薄の厚さとすることで、該金属電極による機械的な抵抗をごく僅かに抑えることができ、２つのセラミックス素子２１１，２１２と金属電極の接合面を中心（伸縮しない部位）にたわみ振動が発生したとしても、該たわみ振動の金属電極による減衰を可及的に小さく抑えることができる。尚、この形態例の構成では、一方の側のセラミックス素子２１１が伸長すれば他方の側のセラミックス素子２１２は収縮し、かつ出力電圧の電極は逆方向となり、両圧電セラミックス素子２１１，２１２は並列に接続された発電構成となる。
【００４５】
また、この形態例では、上記たわみ振動が行われると、一方の圧電セラミックス素子２１１（又は２１２）で伸長と収縮との両方の作用が行われて、分極が打ち消されるということがなく効率的に発電が行われる。セラミックス素子２１１で発電された電気エネルギーとしての電流はリード線２６１，２６４から取り出され、また、セラミックス素子２１２で発電された電気エネルギーとしての電流はリード線２６２，２６３から取り出され、これら各セラミックス素子２１１，２１２で発電された電流は金属電極に導電接続されたリード線（図示せず）と接続されて交流電流が得られるように構成されている。
【００４６】
また、この発明に用いられる上記クッション材２５は、合成樹脂材、ゴム材、或はこれらをスポンジ状にした軟質の材料で構成されている。このようなクッション材２５を用い、しかも、このクッション材２５の中央部のみ或いは両端部を、接着材２４を用いて圧電セラミックス体２１を固着したのは、圧電セラミックス体２１の振動を減衰させないためである。圧電セラミックス体２１が振動する場合、この圧電セラミックス体２１を支持する部材は圧電セラミックス体２１の振動を減衰させる要因になり、この減衰要因を取り除くために、クッション材２５を用いて極力圧電セラミックス体２１を自由な状態におく。
【００４７】
このように構成された圧電セラミックス体２１の歪みは、圧電セラミックス自体が持つ固有振動となって暫くの間、継続する。この固有振動を長く継続させるためには、この固有振動を圧電セラミックス体２１以外の他の構造体に伝えないことが重要である。圧電セラミックス体２１の固有振動は、電気エネルギーとして変換されるが、その他の構造体の振動は全て機械的な抵抗となって固有振動エネルギーを吸収してしまい、電気エネルギーとして取り出すことができない。このため、この形態例では、圧電セラミックス体２１と他の構造体との間で上記固有振動が伝達しないような柔らかな接触を実現するための手段として上記クッション材２５を用いることで、圧電セラミックス体２１の固有振動が長く継続させることができ、発電効率が良くなる。勿論、このクッション材２５は圧電セラミックス体２１に加えられる衝撃を緩和する作用をも有する。尚、上記プロテクタ板２７は、金属製或いは合成樹脂製等で形成されており、鋼球２２の殴打から圧電セラミックス体２１を保護する。
【００４８】
尚、圧電方式による発電方法は、特開２００１−１４５３７５号公報に示した２つの鋼球を用いる構成や、鋼球をバネ材で吊り下げる構成等も適用できる。また、単層或は複層の圧電セラミックス板にこれと歪み変形量が釣り合うよう厚み調整された金属板を貼り合わせて、金属板側から鋼球２２を衝突させて発電する構成を適用してもよい。尚、図１１中、符号ＢＭは自動二輪車の前輪を、Ｑはケース４０に貼着されたクッション材である。
【００４９】
次に、上記通信は、入出庫時の圧力変動により圧電セラミックス素子２１１，２１２で発生した上記電力を利用して、図１３に示すように、入出庫信号を発信する発信部３２で行なう。この防犯装置２０から発信される信号は空中を伝搬する信号であり、本形態例では無線信号（電波信号）を用いるが、超音波信号、光信号、赤外線信号、音波信号等を用いることもできる。
【００５０】
上記通信を受信する受信装置５０は、図１３に示すように、防犯装置２０と一体に、或は離間して設置することができ、侵入者から発見されにくい場所や、受信装置５０に電力を供給しやすい場所、管理しやすい場所等の任意の場所に設置するのが望ましい。尚、本形態例において、該受信装置５０は、１台で１または複数の防犯装置２０からの信号を受信することができる。複数の防犯装置２０から信号を受信する場合には、それぞれの信号には識別警報が含まれており、どの駐輪装置１に配置された防犯装置２０から信号が発信されたかが判別できるように構成されている。
【００５１】
そして、上記受信装置５０は、不正な出庫を検知したときには、これを近傍周囲に音（サイレン等）や音声（威嚇の音声）或は光等で告知し、或は、自動二輪車の所有者のポケットベルや携帯電話に自動的に不正出庫状態を知らせ、或は、ネットワーク５３を介して警察や契約警備会社に自動的に送信するように構成されている。
【００５２】
このネットワーク５３としては、公衆回線（移動体通信も含む）、専用回線等の様々な通信手段を含んでおり、電話による告知の他，インターネットや電子メールで告知してもよい。勿論、駐輪場の正当な管理人や自動二輪車の所有者が、上記警報等の作動をリモコン操作により制御できるように構成することもできる。受信装置５０に電話をかける（電子メールでもよい）ことで操作してもよい。
この防犯装置２０では、入庫時と出庫時に発信部３２から信号が発信される。そのため、駐輪場の管理者や自動二輪車の正当な所有者（使用者）が出入庫する際にも信号が発信されるので、受信装置５０側で警報等を作動させるか否かの可否を制御することにより、不正な出入庫のみを検知することができるように構成されている。
【００５３】
ところで、上記のように構成されてなる防犯装置２０は、上記圧電セラミックス素子２１１，２１２の出力が回路部３０に取り出される。回路部３０には、図１３に示すように、圧電セラミックス素子２１１，２１２で発生した交流電力を整流して充電する充電部３１と上述の発信部３２とが備えられている。そして、この発信部３２から発信された信号は、受信装置５０の受信部５１に受信され、警報部５２で第２の警報として、音や光による周囲への通知とともに、ネットワーク５３を介してあらかじめ設定した外部にも通知する。この警報部５２による警報の可否が外部から制御される。また、表示部５４では、複数設置された防犯装置２０のうち、どの駐輪装置１の防犯装置２０から信号を受信したか表示（ランプの点滅、赤ランプの点灯等）する。
【００５４】
回路部３０の充電部３１には、整流手段３１１と充電手段３１２と判定手段３１３と放電スイッチ手段３１４とが備えられている。整流手段３１１は、圧電セラミックス素子２１１，２１２で出力された交流電力を整流して脈流にする手段である。充電手段３１２は、整流手段３１１により得られた脈流を直流として充電する手段である。判定手段３１３は、充電手段３１２の充電量を圧電セラミックス体２１の発電のタイミングに応じて間欠的に監視し判定する手段である。この手段では、充電量は監視の際にごく少量消費されるが、間欠的に監視しているので監視による電力の消費を抑え、充電量への影響を低減させている。放電スイッチ手段３１４は、判定手段３１３により充電手段３１２の充電量が発信可能なレベルに達したことが判定されたときに、充電手段３１２の放電を開始させ、後段の発信部３２に電力を供給する手段である。
【００５５】
次に、発信部３２には、通信制御手段３２１と信号スイッチ手段３２２、信号発生手段３２３、放電停止手段３２４が備えられている。
【００５６】
通信制御手段３２１は、通信に必要な動作を行う手段であり、この手段は充電部２３１から電力が供給されることで開始される。この手段では、動作の開始により信号スイッチ手段３２２をＯＮさせるように働くとともに、発信のためのデータを信号発生手段３２３に渡す。信号スイッチ手段３２２は、通信制御手段３２１によりＯＮされて、信号発生手段３２３に電力を供給する手段である。信号発生手段３２３は、通信制御手段３２１より受け取った発信のためのデータを信号に変換して発信する。放電停止手段３２４は、充電部２３１からの電力の供給を停止させるように放電スイッチ手段３１４を動作させる手段である。この手段は、通信制御手段３２１が発信のために必要なデータを全て信号発生手段３２３に渡し終わったら、通信制御手段３２１により動作させられる。
【００５７】
図１４及び図１５は連続した回路図であり、Ｓ点、＋点、−点により接続される。整流手段３１１はダイオードＤ１〜Ｄ６により全波整流の回路が形成されており、圧電セラミックス素子２１１，２１２で出力された交流電力をここで整流し脈流として後段に出力する。圧電セラミックス素子２１１，２１２から取り出された４本のリード線２６１〜２６４のうちリード線２６２，２６３が結線され、３本のリード線が６個のダイオードＤ１〜Ｄ６に接続されている。なお、ここでは、リード線２６２，２６３を結線してダイオードの数を削減する回路を形成しているが、リード線２６２，２６３を結線せずに８個のダイオードに接続して全波整流の回路を形成してもよい。
【００５８】
充電手段３１２は、コンデンサＣ１を備えている。このコンデンサＣ１は充電電池に代替してもよい。整流手段３１１で整流された脈流は、コンデンサＣ１に直流として逐次充電され、鋼球２２が圧電セラミックス体２１に衝突して発電を繰り返すたびにコンデンサＣ１の両端の電圧が高くなる。
【００５９】
放電スイッチ手段３１４には、自己保持型電流スイッチが用いられている。本形態例では、相補トランジスタを用いており、ＰＮＰトランジスタＴｒ１とＮＰＮトランジスタＴｒ２とを組み合わせている。この放電スイッチ手段３１４では、ｂ点に、ｃ点の電圧より約０．６Ｖ（Ｔｒ１により決まる値）低い電圧が印加されると、Ｔｒ１がＯＮとなりほぼ同時にＴｒ２がＯＮとなる。
【００６０】
このように放電スイッチ手段３１４がＯＮ状態となると、ｃ点とｄ点の間はきわめて低いインピーダンスとなる。そして、充電手段３１２のコンデンサＣ１に貯めた電力を放電し、きわめて少ないロスで通信制御手段３２１に供給する。そして、このＯＮ状態は、自己保持状態となり放電停止するまで継続する。
【００６１】
判定手段３１３は、コンデンサＣ２，Ｃ３と抵抗Ｒ１，Ｒ２を備えている。コンデンサＣ３は誤動作防止用に設けたものである。コンデンサＣ２と抵抗Ｒ１は、圧電セラミックス体２１からの出力である図１４中に示すａ点と放電スイッチ手段３１４の図１５中に示すｂ点との間に設けられている。そして、この時定数で充電量の判定の際にｂ点に電圧を印加する時間を決めている。ａ点には鋼球２２が圧電セラミックス体２１１に衝突する度に交流電力が発生するが、この電圧は、コンデンサＣ１の両端の電圧にダイオードＤ６の上棟方向の電圧を加えた値である。そして、コンデンサＣ１が充電により電圧上昇するとともにａ点の交流電圧も上昇する。つまり、ａ点ではコンデンサＣ１の両端の直流電圧にほぼ比例した交流電圧が、鋼球２２が衝突するたびに、すなわち間欠的に得られる。そしてこのａ点での交流電圧は、抵抗Ｒ１とコンデンサＣ２の時定数で決めたごく短日間だけも点に印加される。ｂ点の電圧は抵抗Ｒ１，Ｒ２の分配比により決められ、上述したようにも点の電圧がｃ点の電圧よりも約０．６Ｖ低い電圧の値を超えると放電スイッチ手段３２４がＯＮとなる。ここでは、ｂ点の電圧は（ｃ点の電圧×１−Ｒ２／（Ｒ１+Ｒ２）で示されるため、このｂ点の電圧がｃ点の電圧よりも約０．６Ｖ低い電圧（ｃ点の電圧−約０．６Ｖ）と等しくなったときが判定の閾値となり、これをもって充電量のレベルを判定する。そのため、Ｒ１とＲ２を調整することで放電を開始させる充電量を発信可能なレベルに調整することができる。このレベルは発信する信号に応じて任意に設定される。なお、ここではリード線２６４側に３点を設けているが、リード線２６１側や、接続されたリード線２６２，２６３側に設けてもよい。また、ここでは２つの圧電素子のうち、一方の圧電セラミックス体２１１が発電するタイミング毎に判定を行うよう構成しているが、双方の圧電セラミックス素子２１１，２１２が発電するタイミングで判定を行ったり、あるいは、圧電セラミックス体２１１が発電するタイミングのｎ回毎（ｎは任意の数）に判定を行うように構成してもよい。
【００６２】
通信制御手段３２１は、通信制御回路３２１１とコンデンサＣ７と抵抗Ｒ８とＦＥＴ１を備えている。コンデンサＣ７は動作安定用に設けたものである。抵抗Ｒ８とＦＥＴ１は、通信制御回路３２１１と信号スイッチ手段３２２を低消費電力でインターフェースするためのレベル変換に設けている。充電部２３１からの放電により通信制御回路３２１１に電力が供給されると、通信制御回路３２１１の内部で発信に必要な手順が実行される。なお、通信制御回路３２１１は消費電力の小さいものである。
【００６３】
信号スイッチ手段３２３は、ＰＮＰトランジスタＴｒ４と抵抗Ｒ６，Ｒ７とコンデンサＣ６を備えている。信号発生回路３２３１が比較的大電力を必要とするために、この信号スイッチ手段３２３では大電力用トランジスタスイッチＴｒ４を使って、信号発生回路３２３１に電力を供給するよう構成している。信号スイッチ手段３２３では、通信制御回路３２１１からの発信開始の指令がＦＥＴ１を通って、抵抗Ｒ７を通ってトランジスタＴｒ４をＯＮさせると、信号発生手段３２３で発信を開始きせるよう動作する。
【００６４】
信号発生手段３２３は、信号発生回路３２３１とアンテナ３２３２を備えており、信号スイッチ手段３２３により電力が供給されると、通信制御回路３２１１から受け取った発信のためのデータを無線信号に変換してアンテナ３２３２から発信する。
【００６５】
放電停止手段３２４は、ＰＮＰトランジスタＴｒ３と抵抗Ｒ４，Ｒ５とコンデンサＣ４，Ｃ５とを備えている。コンデンサＣ４，Ｃ５は、誤動作防止用に設けている。この手段では、通信制御回路３２１１が発信のために必要なデータを信号発生回路３２３１に送出し終えたら、通信制御回路３２１１から抵抗Ｒ４を通してトランジスタＴｒ３をＯＮさせる信号を出力する。トランジスタＴｒ３がＯＮとなると放電スイッチ手段３２４の自己保持は解除となり、コンデンサＣ７に貯まっていた電力の放電は停止して、発信動作は終了する。
【００６６】
このように構成された本形態例の防犯装置２０の動作について説明する。
【００６７】
本防犯装置２０は電力線の配線が不要であるため、コンセントから遠い場所や、配線しにくい場所であっても容易に取り付けることができる。そして、複数の駐輪装置１に取り付けられた本防犯装置２０から発信される信号には、それぞれを識別するための識別警報が含まれており、１台の受信装置５０で複数の信号を受信じ、識別して検出する。また、受信装置５０の表示部５４では、防犯装置２０から信号を受信すると、例えば駐輪装置ＮＯ１等の記載に対応するランプが点灯するようにして、不正出庫した駐輪装置１が即座に判るように設定されている。正当な管理者或は自動二輪車の使用者が出庫する場合には、受信装置５０はリモコン操作により、出庫しても、当該駐輪装置１の防犯装置２０からの信号を受信しても、警報を実行しないように設定されている。勿論、この場合には、清算を済ませることが前提となる。
【００６８】
前輪が入庫し前輪前部抱持体１７に当接すると、上記防犯装置２０にその振動が印加され、該防犯装置２０のケース４０に取り付けられた弾性部材４２の弾性によりハウジング２３が揺動し、この揺動により鋼球２２が圧電セラミックス体２１に衝突し自己発電する。さらに弾性部材４２の弾性により鋼球２２が往復転動して圧電セラミックス体２１への衝突を繰り返し、連続して発電する。
【００６９】
そして、発生した電力は、圧電セラミックス素子２１１，２１２から回路部３０に入力される。回路部３０では、圧電セラミックス体２１が発電するたびにその出力から交流電圧を取り出し、これを判定手段３１３に用いて充電量を判定している。このような充電量の間欠的な監視と判定は、充電量が増加するタイミングで効率よく判定される。その上、判定のために無駄な電力を消費することが大幅に抑制されるので、発信に必要な電力を素早く充電して発信部３２に供給できる。これにより、出入庫のたびに発信部３２から信号が発信される。
【００７０】
発信部３２から発信された信号は、受信装置５０の受信部５１に受信され、警報部５２で警報処理が実行される。この警報処理は、音や光、あるいは音声で不正出庫者を威嚇したり周囲の人にこの不正状態を告知せしめ、不正出庫者の退散を促す。また、ネットワーク５３による電話通報で、自動二輪車の所有者のポケットベルや警報装置に不正出庫の発生を速やかに伝え、また駐輪場の管理者に該状態を告知する。
【００７１】
このように本形態例に係る防犯装置２０にあっては、自己発電するため、防犯装置２０への電力の供給手段に煩わされることなく、防犯を必要とする任意の場所に取り付けることができる。また、電力配線がなく小型であるため、一見して防犯装置と気づかれにくく保安性を高められる。また、いつ実行されるかわからない不正出庫者に備えて、可能性のある場所全てに設置しても、防犯装置２０は待機中も作動中も電気代がかからないため、経済的な負担が大幅に軽減される。
【００７２】
尚、本形態例では、防犯装置２０を前輪前部抱持体１７に取り付けた場合を例にとり説明したが、この発明にあってはこれに限定されるものではなく、前輪後下方部抱持体１８やガイドレール部１１の後輪当接位置に配設しても同様の作用・効果を得ることができる。
【００７３】
また、自己発電方式も上記形態例に限定されるものではなく、公知の各種圧電発電方式を利用した通信手段を適用することができる。
【００７４】
さらに、この発明にあっては、上記駐輪装置１を、箱状に形成されたガレージ（図示せず）内に引出し自在に収納させることで、自動二輪車Ｂを風雨に晒すことなく保管することもできる。
【００７５】
また、この発明にあっては、前輪支持装置１０を自立可能に構成することで、該前輪支持装置１０を単独で設置してもよい。この場合には、より簡易かつ低コストで駐輪装置を構成することができる。この場合、防犯装置２０を配置するかは任意である。
【００７６】
勿論、本発明に係る駐輪装置１或は前輪支持装置１０は、自動二輪車用の他に、自転車の駐輪装置或は前輪支持装置として使用することもできる。
【図面の簡単な説明】
【００７７】
【図１】本発明の実施の一形態例に係る駐輪装置の概略的な構成を示す平面図である。
【図２】同駐輪装置の側面図である。
【図３】同駐輪装置を構成する前輪支持装置の平面図である。
【図４】同前輪支持装置の斜視図である。
【図５】同前輪支持装置の要部拡大斜視図である。
【図６】同前輪支持装置を構成する前輪後下部抱持体の倒れた状態の背面図である。
【図７】同前輪支持装置を構成する前輪後下部抱持体が起きた状態の右側面図である。
【図８】同前輪支持装置を構成する前輪後下部抱持体の使用状態を示す斜視図である。
【図９】同前輪支持装置の使用状態を示す側面説明図である。
【図１０】同前輪支持装置の使用状態を示す斜視図である。
【図１１】同前輪支持装置に取り付けられた出入庫監視装置の側方からみた断面図である。
【図１２】同出入庫監視装置の発電部材の一構成例を示す断面図である。
【図１３】同出入庫監視装置の回路ブロック図である。
【図１４】同出入庫監視装置の回路図である。
【図１５】同出入庫監視装置の応用例を示す説明図である。
【図１】
0004004057.tif 000002
【図２】
0004004057.tif 000003
【図３】
0004004057.tif 000004
【図４】
0004004057.tif 000005
【図５】
0004004057.tif 000006
【図６】
0004004057.tif 000007
【図７】
0004004057.tif 000008
【図８】
0004004057.tif 000009
【図９】
0004004057.tif 000010
【図１０】
0004004057.tif 000011
【図１１】
0004004057.tif 000012
【図１２】
0004004057.tif 000013
【図１３】
0004004057.tif 000014
【図１４】
0004004057.tif 000015
【図１５】
0004004057.tif 000016